(57)【特許請求の範囲】
【請求項１】
内部には液体内容物が貯蔵され、下部には雄ねじが形成されたネック（１１０）が設けられた倒立型圧搾容器（１００）と、
前記倒立型圧搾容器（１００）のネック（１１０）に螺合方式で締結される大キャップ部（２１０）と、前記大キャップ部（２１０）の外郭に円筒形状からなる昇下降ガイド壁（２２０）と、前記大キャップ部（２１０）の下部から上端部が段差（２３０）を形成しながら直径が縮小された管状に突出するようになされ、下部が開放された泡排出部（２４０）とを備え、前記段差（２３０）には外部空気の流入を許容するためのエアホール（２５０）が穿孔された、キャップ本体（２００）と、
前記キャップ本体（２００）の大キャップ部（２１０）の内部下側に縁部（３１０）が嵌められて収容配置されて、前記キャップ本体（２００）の段差（２３０）の上部と離隔し、中央部位には、凹状に窪んで液体排出口（３３０）が穿孔された排出案内部（３２０）が形成され、前記排出案内部（３２０）の中央上部には、液体内容物の排出を案内するための筒状の排出路（３４０）が突出するように設けられ、前記排出案内部（３２０）の縁部には、前記倒立型圧搾容器（１００）の圧搾時に内部空気が前記排出案内部（３２０）の下側に排出されるようにするエア排出口（３５０）、及び前記圧搾容器（１００）の復元時に外部空気が前記倒立型圧搾容器（１００）の内部に流入するようにするエア流入口（３６０）が形成された、内容物排出ガイド（３００）と、
前記内容物排出ガイド（３００）の上部を覆うように嵌合されて前記エア排出口（３５０）及びエア流入口（３６０）と連通するエアルーム（４１０）が内部に形成され、中央部には、内容物吸入口（４２０）を形成して、前記内容物排出ガイド（３００）の排出路（３４０）の内部に同軸上に嵌合され、前記倒立型圧搾容器（１００）が圧搾されたか否かによって前記内容物吸入口（４２０）を選択的に開閉する内容物チェック弁（４３０）が内蔵された筒状の結合部（４４０）が設けられ、上面には、前記エアルーム（４１０）と連通するようにチューブ嵌合口（４５０）が突出形成された、弁ハウジング（４００）と、
前記弁ハウジング（４００）のチューブ嵌合口（４５０）に下端部が嵌合され、上端は前記倒立型圧搾容器（１００）の上部に向かって延びて配置されて、空気が残留する前記倒立型圧搾容器（１００）の上部空間と前記エアルーム（４１０）を連通させるためのエアチューブ（５００）と、
弾性材質からなり、上端は前記内容物排出ガイド（３００）の下面に密着し、下端は前記キャップ本体（２００）の段差（２３０）の上部に密着して前記泡排出部（２４０）の内部に気液混合室（Ｓ）を形成するリング状の区画壁（６１０）と、前記区画壁（６１０）の内側から中央部に向かって上向きに延び、端部が前記内容物排出ガイド（３００）の排出案内部（３２０）に弾性的に密着し、前記倒立型圧搾容器（１００）の圧搾時に前記倒立型圧搾容器（１００）の内部空気が前記エア排出口（３５０）を介して前記気液混合室（Ｓ）に排出されることを許容する第１チェック弁部（６２０）と、前記区画壁（６１０）の外側で外側に向かって下向きに延び、端部が前記キャップ本体（２００）の段差（２３０）の外側に弾性的に密着して、前記倒立型圧搾容器（１００）の圧搾時には前記エアホール（２５０）を閉鎖し、前記倒立型圧搾容器（１００）の復元時には前記エアホール（２５０）を開放して外部から空気の流入を許容する第２チェック弁部（６３０）とを含む、エアチェック弁ユニット（６００）と、
前記キャップ本体（２００）の泡排出部（２４０）の内部に嵌められて収容配置され、上、下部が開放された円筒形状からなり、上面及び下面には濾過網（７２０）（７３０）が設けられて、前記気液混合室（Ｓ）で液体内容物と空気が混合されて形成された泡を均質化させながら排出案内する濾過部材（７００）と、
円筒状の壁面（８１０）の上端が前記キャップ本体（２００）の昇下降ガイド壁（２２０）の内側に昇下降可能に収容結合され、前記キャップ本体（２００）の下部を覆う下面（８２０）には、前記濾過部材（７００）を抜け出た泡が外部に分散して排出される複数個の泡分散孔（８３０）が穿孔され、下面（８２０）の中央には、昇下降操作によって前記泡排出部（２４０）を選択的に開閉する円筒状の遮断壁（８４０）が突出して設けられた、昇下降キャップ（８００）とを備えることを特徴とする、倒立型圧搾容器泡発生器。
【請求項２】
前記内容物チェック弁（４３０）は、
前記弁ハウジング（４００）の結合部（４４０）の内部で上下に摺動可能に配置され、上端部が円錐形状からなって前記内容物吸入口（４２０）を開閉する弁ボディー（４３１）と、
前記弁ボディー（４３１）を前記弁ハウジング（４００）の結合部（４４０）の内部で上側方向に弾性支持する弾性部材（４３２）とからなることを特徴とする、請求項１に記載の倒立型圧搾容器泡発生器。
【請求項３】
前記圧搾容器泡発生器は、
前記昇下降キャップ（８００）の下部に嵌装され、前記泡分散孔（８３０）と個別に連通するように複数個の連通口（９２０）が設けられたベース（９１０）と、
前記連通口（９２０）を介して排出された泡を皮膚に均一に塗るために前記ベース（９１０）の下面に設けられたマッサージ毛（９３０）とを備えた、マッサージ部材（９００）をさらに備えることを特徴とする、請求項１に記載の倒立型圧搾容器泡発生器。
【請求項４】
前記昇下降ガイド壁（２２０）の内側には、互いに対向するように支持軸（２６０）が突出して形成され、
前記昇下降キャップ（８００）の壁面（８１０）の外側には、前記支持軸（２６０）がそれぞれ収容される螺旋溝（８５０）が一定の区間にわたって対向するように形成されて、前記昇下降キャップ（８００）の正逆方向回転操作によって定位置で上昇又は下降するように配置され、
前記昇下降キャップ（８００）の正方向回転により前記昇下降キャップ（８００）が最大に下降すると、前記円筒状の遮断壁（８４０）が前記泡排出部（２４０）を開放し、前記昇下降キャップ（８００）の逆方向回転により前記昇下降キャップ（８００）が最大に上昇すると、前記円筒状の遮断壁（８４０）が前記泡排出部（２４０）を閉鎖することを特徴とする、請求項１に記載の倒立型圧搾容器泡発生器。
【発明の詳細な説明】
【技術分野】
【０００１】
本発明は、倒立型圧搾容器泡発生器に関し、より詳細には、倒立型圧搾容器を直接圧搾すると、液状の内容物が空気と共に混合されながら泡状に排出されるようにする倒立型圧搾容器泡発生器に関する。
【背景技術】
【０００２】
一般に、泡発生器は、容器に貯蔵された液体内容物を気液混合室で空気を合流させると同時に、濾過網体を介して均一な泡液体を作って排出するもので、ボディーシャンプー、毛髪化粧料または浴室、台所、トイレ用洗浄剤などに様々な用途に使用される。
【０００３】
従来の泡発生器は、液状の内容物に適切な量のガスを混合及び押出して泡を発生させる形態で使用されているが、このようなガス泡発生器が適用される製品では、容器内に圧縮ガスを充填しなければならないため、作製の面でかなりの技術的な困難があり、使用する度に振らなければならないという不便さがある。また、製品容器が傾斜した状態では、充填液を泡状態に噴出させることができず、圧縮ガスのみが噴射されるという欠点がある。
【０００４】
このような欠点を解決するために、圧縮空気を充填したり、振ったりしなくても、外部空気と液体内容物を適切に混合させて泡として噴出させるフォーミングポンプアセンブリが大韓民国登録実用新案公報第２０−０１６９７７３号（考案の名称：泡発生器の空気弁装置）として開示されている。
【０００５】
大韓民国登録実用新案公報第２０−０１６９７７３号に開示されたフォーミングポンプアセンブリは、図１に示したように、内容物（液状）が貯蔵された容器Ａのネックに螺合方式で結合されるキャップ１と、このキャップ１の内部に固定され、負圧孔２ｂが穿孔された空気シリンダ２ａを有し、この空気シリンダ２ａの下部中央に内容物（液体）が進入する長い円筒状の液体シリンダー２ｃが一体に形成されたシリンダーボディー２と、このシリンダーボディー２の内部に一端が出入りするようにキャップ１に支持されて設置され、泡が噴射される出口３ａを有するノズル３と、このノズル３の内周に上部が固定され、シリンダーボディー２の空気シリンダ２ａの内周に下端外周が密着設置されて、ノズル３を押すときに空気シリンダ２ａの下部を加圧し、上部を膨張させる空気ピストン４と、シリンダーボディー２の液体シリンダー２ｃの下部に備えられたコイルばね５と空気ピストン４との間に設置されて、ノズル３を上側に弾性支持し、圧縮された空気及び内容物を空気ピストン４の上部に誘導する液体ピストン６と、シリンダーボディー２の液体シリンダー２ｃの底部に位置して液体吸入口７を選択的に開閉させるボール８とが備えられている。そして、ノズル３の内部には、泡を濾過するための濾過網９が配置される。
【０００６】
このような従来のフォーミングポンプアセンブリでは、ノズル３を繰り返して押すと、容器Ａの内部に充填された内容物（液体）が液体シリンダー２ｃを介して吸入／ポンピングされると同時に、空気シリンダ２ａ内の空気が噴出されながら泡が発生し、続けて泡は濾過網９を通過して均一に濾過されながらノズル３の出口３ａを介して外部に噴出される。
【０００７】
しかし、従来のフォーミングポンプアセンブリでは、空気を加圧して排出する構造は勿論であり、吸入された液体内容物を混合して泡状に排出する構造が必要以上に複雑に構成されることによって、組立生産性が低下することは勿論であり、そのコストもまた上昇するという欠点がある。また、一方の手ではノズル３を反復的に押し、他方の手ではノズル３の出口３ａを介して排出される泡を受けて使用しなければならないという不便さがある。
【発明の概要】
【発明が解決しようとする課題】
【０００８】
本発明は、このような問題点を解決するためのもので、本発明の目的は、液体内容物が貯蔵された圧搾容器を圧搾すると、内部圧力を通じて液体内容物が空気と共に混合されながら泡状に排出されるように簡単に構成することは勿論であり、圧搾容器を倒立型に適用して、使用対象に向かって直接泡を噴出させて、片手でも便利に使用することができる倒立型圧搾容器泡発生器を提供することにある。
【０００９】
また、本発明の他の目的は、泡発生器に排出遮断機能を追加して、製品をより安定的に使用することができ、流通中にも漏液現象を防止できる倒立型圧搾容器泡発生器を提供することにある。
【００１０】
また、本発明の他の目的は、泡発生器にマッサージ部材を付設して、手の平を使用しなくても、排出される泡を皮膚に直接均一に塗ることができる倒立型圧搾容器泡発生器を提供することにある。
【課題を解決するための手段】
【００１１】
上記のような目的を達成するための本発明は、内部には液体内容物が貯蔵され、下部には雄ねじが形成されたネックが設けられた倒立型圧搾容器と；前記倒立型圧搾容器のネックに螺合方式で締結される大キャップ部と、前記大キャップ部の外郭に円筒形状からなる昇下降ガイド壁と、前記大キャップ部の下部から上端部が段差を形成しながら直径が縮小された管状に突出するようになされ、下部が開放された泡排出部とを備え、前記段差には外部空気の流入を許容するためのエアホールが穿孔された、キャップ本体と；前記キャップ本体の大キャップ部の内部下側に縁部が嵌められて収容配置されて、前記キャップ本体の段差の上部と離隔し、中央部位には、凹状に窪んで液体排出口が穿孔された排出案内部が形成され、前記排出案内部の中央上部には、液体内容物の排出を案内するための筒状の排出路が突出するように設けられ、前記排出案内部の縁部には、前記倒立型圧搾容器の圧搾時に内部空気が前記排出案内部の下側に排出されるようにするエア排出口、及び前記圧搾容器の復元時に外部空気が前記倒立型圧搾容器の内部に流入するようにするエア流入口が形成された、内容物排出ガイドと；前記内容物排出ガイドの上部を覆うように嵌合されて前記エア排出口及びエア流入口と連通するエアルームが内部に形成され、中央部には、内容物吸入口を形成して、前記内容物排出ガイドの排出路の内部に同軸上に嵌合され、前記倒立型圧搾容器が圧搾されたか否かによって前記内容物吸入口を選択的に開閉する内容物チェック弁が内蔵された筒状の結合部が設けられ、上面には、前記エアルームと連通するようにチューブ嵌合口が突出形成された、弁ハウジングと；前記弁ハウジングのチューブ嵌合口に下端部が嵌合され、上端は前記倒立型圧搾容器の上部に向かって延びて配置されて、空気が残留する前記倒立型圧搾容器の上部空間と前記エアルームを連通させるためのエアチューブと；弾性材質からなり、上端は前記内容物排出ガイドの下面に密着し、下端は前記キャップ本体の段差の上部に密着して前記泡排出部の内部に気液混合室を形成するリング状の区画壁と、前記区画壁の内側から中央部に向かって上向きに延び、端部が前記内容物排出ガイドの排出案内部に弾性的に密着し、前記倒立型圧搾容器の圧搾時に前記倒立型圧搾容器の内部空気が前記エア排出口を介して前記気液混合室に排出されることを許容する第１チェック弁部と、前記区画壁の外側で外側に向かって下向きに延び、端部が前記キャップ本体の段差の外側に弾性的に密着して、前記倒立型圧搾容器の圧搾時には前記エアホールを閉鎖し、前記倒立型圧搾容器の復元時には前記エアホールを開放して外部から空気の流入を許容する第２チェック弁部とを含む、エアチェック弁ユニットと；前記キャップ本体の泡排出部の内部に嵌められて収容配置され、上、下部が開放された円筒形状からなり、上面及び下面には濾過網が設けられて、前記気液混合室で液体内容物と空気が混合されて形成された泡を均質化させながら排出案内する濾過部材と；円筒状の壁面の上端が前記キャップ本体の昇下降ガイド壁の内側に昇下降可能に収容結合され、前記キャップ本体の下部を覆う下面には、前記濾過部材を抜け出た泡が外部に分散して排出される複数個の泡分散孔が穿孔され、下面の中央には、昇下降操作によって前記泡排出部を選択的に開閉する円筒状の遮断壁が突出して設けられた、昇下降キャップとを；備えることを特徴とする。
【００１２】
また、本発明は、前記内容物チェック弁が、前記弁ハウジングの結合部の内部で上下に摺動可能に配置され、上端部が円錐形状からなって前記内容物吸入口を開閉する弁ボディーと、前記弁ボディーを前記弁ハウジングの結合部の内部で上側方向に弾性支持する弾性部材とからなることを特徴とする。
【００１３】
また、本発明は、前記圧搾容器泡発生器が、前記昇下降キャップの下部に嵌装され、前記泡分散孔と個別に連通するように複数個の連通口が設けられたベースと、前記連通口を介して排出された泡を皮膚に均一に塗るために前記ベースの下面に設けられたマッサージ毛とを備えた、マッサージ部材をさらに備えることを特徴とする。
【００１４】
また、本発明は、前記昇下降ガイド壁の内側に互いに対向するように支持軸が突出して形成され；前記支持軸がそれぞれ収容される螺旋溝が前記昇下降キャップの壁面の外側に対向するように形成されて、前記昇下降キャップの正逆方向回転操作によって定位置で上昇又は下降するように配置され；前記昇下降キャップの正方向回転により前記昇下降キャップが最大に下降すると、前記円筒状の遮断壁が前記泡排出部を開放し、前記昇下降キャップの逆方向回転により前記昇下降キャップが最大に上昇すると、前記円筒状の遮断壁が前記泡排出部を閉鎖することを特徴とする。
【発明の効果】
【００１５】
前記のような構成からなる本発明に係る倒立型圧搾容器泡発生器によれば、液体内容物が貯蔵された倒立型圧搾容器を直接圧搾することによって、内部圧力によって内容物チェック弁を開放させて排出された液体内容物が、気液混合室で空気と共に混合されながら泡状に直接排出される。したがって、倒立型圧搾容器を圧搾することによって液体内容物を直ちに泡状に排出させ得る機構的な構成が従来に比べて簡単に構成されることは勿論であり、製品応答性がさらに向上するという利点がある。特に、片手でも圧搾容器を直接圧搾して内容物を泡状に排出できるので、その使用の利便性をさらに向上させることができるという作用効果がある。
【００１６】
また、本発明に係る倒立型圧搾容器泡発生器によれば、噴出される泡をマッサージ部材を通じて皮膚に塗ったり、皮膚を洗浄（クレンジング）したりすることができる。特に、手の平を使用しなくても、噴出される泡（内容物）をマッサージ部材を通じて直接皮膚に均一に塗りながらマッサージ効果も具現できるという利点がある。
【００１７】
また、本発明に係る倒立型圧搾容器泡発生器によれば、昇下降キャップを正逆方向に操作して昇下降させることによって泡排出部を容易に開閉し得るので、製品をより安定的に使用することができ、流通中にも漏液現象を防止できるという利点がある。
【図面の簡単な説明】
【００１８】
【図１】従来の大韓民国登録実用新案公報第２０−０１６９７７３号に開示された泡発生器の空気弁装置を示す図である。
【００１９】
【図２】本発明に係る倒立型圧搾容器泡発生器の全体的な内部構造を示す断面図である。
【００２０】
【図３】本発明に係る倒立型圧搾容器泡発生器において倒立型圧搾容器を除いた内部構造を抜粋して示す拡大断面図である。
【００２１】
【図４】本発明に係る倒立型圧搾容器泡発生器の分解断面図である。
【００２２】
【図５】本発明に係る倒立型圧搾容器泡発生器の分解斜視図である。
【００２３】
【図６】本発明に係る弁ハウジングの結合構造を抜粋して示す断面図である。
【００２４】
【図７】本発明に係る倒立型圧搾容器泡発生器の泡噴出過程を示す図である。
【００２５】
【図８】本発明に係る倒立型圧搾容器泡発生器の復元過程（外部空気吸入過程）を示す図である。
【００２６】
【図９】本発明に係る倒立型圧搾容器泡発生器において昇下降キャップを用いたロッキング状態を示す図である。
【００２７】
【符号の説明】
【００２８】
１００    倒立型圧搾容器    １１０    ネック    ２００    キャップ本体
【００２９】
２１０    大キャップ部    ２２０    昇下降ガイド壁    ２３０    段差
【００３０】
２４０    泡排出部    ２５０    エアホール    ２６０    支持軸
【００３１】
３００    内容物排出ガイド    ３１０    縁部    ３２０    排出案内部
【００３２】
３３０    液体排出口    ３４０    排出路    ３５０    エア排出口
【００３３】
３６０    エア流入口    ４００    弁ハウジング    ４１０    エアルーム
【００３４】
４２０    内容物吸入口    ４３０    内容物チェック弁    ４３１    弁ボディー
【００３５】
４３２    弾性部材    ４４０    結合部    ４５０    チューブ嵌合口
【００３６】
５００    エアチューブ    ６００    エアチェック弁ユニット    ６１０    区画壁
【００３７】
６２０    第１チェック弁部    ６３０    第２チェック弁部    ７００    濾過部材
【００３８】
７１０    ボディー    ７２０，７３０    濾過網    ８００    昇下降キャップ
【００３９】
８１０    壁面    ８２０    下面    ８３０    泡分散孔
【００４０】
８４０    円筒状の遮断壁    ８５０    螺旋溝    ９００    マッサージ部材
【００４１】
９１０    ベース    ９２０    連通口    ９３０    マッサージ毛
【００４２】
Ｓ    気液混合室
【発明を実施するための形態】
【００４３】
以下、本発明に係る一つの好ましい実施例を添付の図面を参照して詳細に説明する。添付の図面を簡略に説明すると、図２乃至図６は、本発明に係る倒立型圧搾容器泡発生器の構成を示したものであり、図７乃至図９は、本発明に係る倒立型圧搾容器泡発生器の使用状態を示したものである。
【００４４】
＜本発明に係る倒立型圧搾容器泡発生器の構成説明＞
【００４５】
本発明に係る倒立型圧搾容器泡発生器は、内容物が貯蔵された倒立型圧搾容器のネックに装着され、倒立型圧搾容器を直接圧搾することによって圧搾容器の内部圧力を通じて液状の内容物を空気と共に混合させながら泡状に排出させるためのもので、図２及び図３に示したように、液体内容物が貯蔵され、自体の弾性力で復元される倒立型圧搾容器１００と、この倒立型圧搾容器１００のネック１１０に結合されるキャップ本体２００と、このキャップ本体２００の内部に収容配置され、倒立型圧搾容器１００の圧搾によって液体内容物及び空気の排出をガイドする内容物排出ガイド３００と、内容物排出ガイド３００の上部に結合され、液体内容物の排出を制御するために内容物チェック弁４３０が内蔵された弁ハウジング４００と、倒立型圧搾容器１００の圧搾及び復元動作によって空気の吸入及び排出を制御するためのエアチェック弁ユニット６００と、キャップ本体２００の内部に収容配置され、液体内容物と空気が混合されて形成された泡を均質化させるための濾過部材７００と、キャップ本体２００の下部に昇下降可能に組み立てられて泡を外部に噴出させるための昇下降キャップ８００と、昇下降キャップ８００の下部に装着されたマッサージ部材９００とを備えている。本発明に係る倒立型圧搾容器泡発生器をなす各構成要素の詳細な構造は、次の通りである。
【００４６】
まず、倒立型圧搾容器１００は、液体内容物が貯蔵されるもので、図２に示したように、使用者が手で圧搾させることができ、圧搾力が除去されると、自体の弾性力で復元される軟質合成樹脂で作製され、逆さまに使用される倒立型圧搾容器１００のネック１１０は、外壁が雄ねじからなっている。このようなネック１１０は、使用状態を基準として倒立型圧搾容器１００の下部に形成される。
【００４７】
そして、キャップ本体２００は、硬質合成樹脂で成形されるもので、図３乃至図５に示したように、倒立型圧搾容器１００のネック１１０に螺合方式で締結される大キャップ部２１０、及びこの大キャップ部２１０の下部から上端部が段差２３０を形成しながら直径が縮小された管状に突出するようになされ、下部が開放された泡排出部２４０で定義される。また、キャップ本体２００の段差２３０には、外部空気の流入を許容するためのエアホール２５０が穿孔されている。エアホール２５０は、倒立型圧搾容器１００の弾性復元時に外部空気が倒立型圧搾容器１００の内部に流入するようにするためである。また、大キャップ部２１０の外郭には円筒状の昇下降ガイド壁２２０が一体となっている。この昇下降ガイド壁２２０は、昇下降キャップ８００の昇下降移動を支持するためのもので、その内側には、互いに対向するように支持軸２６０が突出して形成されている。
【００４８】
内容物排出ガイド３００もまた、硬質合成樹脂で成形されるもので、図３乃至図５に示したように、キャップ本体２００の大キャップ部２１０の下端内部に縁部３１０が嵌められて収容配置されて、キャップ本体２００の段差２３０の上部と一定間隔離隔して空間を形成するようになる。このような内容物排出ガイド３００は、中央に凹状に窪んで液体排出口３３０が穿孔された排出案内部３２０、及びこの排出案内部３２０の中央上部に突出して設けられ、液体内容物の排出を案内するための筒状の排出路３４０で定義される。また、排出案内部３２０の外側には、倒立型圧搾容器１００の圧搾時に内部空気が排出案内部３２０の下側に排出され得るエア排出口３５０、及び倒立型圧搾容器１００の復元時にエアホール２５０を介して流入した外部空気が倒立型圧搾容器１００の内部に流入し得るエア流入口３６０が形成されている。本発明の実施例では、エア流入口３６０を排出案内部３２０の最外側に６個形成して倒立型圧搾容器１００の復元が直ちに行われるようにし、エア排出口３５０は、１８０°対向するように２個形成して、倒立型圧搾容器１００の圧搾時に、エアが後述する気液混合室Ｓに速やかに排出されるようにした。また、排出案内部３２０の液体排出口３３０は、液体内容物が分散しながら気液混合室Ｓで空気と円滑に混合されるように、排出案内部３２０の中央から半径方向に向かって複数個（本発明の実施例では、１８０°対向するように２個）に分岐して形成した。
【００４９】
弁ハウジング４００は、図３乃至図６に示したように、内容物排出ガイド３００の上部を覆うように嵌合されてエア排出口３５０及びエア流入口３６０と連通するエアルーム４１０が内部に形成され、中央部には、内容物吸入口４２０を形成して、内容物排出ガイド３００の排出路３４０の内部に同軸上に嵌合される筒状の結合部４４０が設けられている。弁ハウジング４００の結合部４４０には、倒立型圧搾容器１００が圧搾されたか否かによって内容物吸入口４２０を選択的に開閉する内容物チェック弁４３０が収容配置されている。内容物チェック弁４３０は、弁ハウジング４００の結合部４４０の内部に上下に摺動可能に配置され、上端部が円錐形状からなって内容物吸入口４２０を開閉する弁ボディー４３１、及びこの弁ボディー４３１を結合部４４０の内部で上側方向に弾性支持する弾性部材４３２（本発明の実施例ではコイルばね）からなっている。したがって、倒立型圧搾容器１００を圧搾すると、内部圧力が弾性部材４３２の弾性支持力に勝って弁ボディー４３１を下側に押し付けるようになり、これによって、液体内容物が内容物排出ガイド３００の排出案内部３２０側に排出される。また、弁ハウジング４００の上面には、エアルーム４１０と連通するようにチューブ嵌合口４５０が突出形成されている。このチューブ嵌合口４５０にはエアチューブ５００が嵌合される。すなわち、エアチューブ５００の下端部は、チューブ嵌合口４５０に嵌合され、その上端部は、倒立型圧搾容器１００の上部に向かって延びて配置される。したがって、エアチューブ５００を介して、空気が残留する倒立型圧搾容器１００の上部空間とエアルーム４１０が連通する。
【００５０】
エアチェック弁ユニット６００は、弾性ゴム材質（シリコン又はＮＢＲなど）からなり、図３乃至図５に示したように、上端が内容物排出ガイド３００の底下面に密着し、下端はキャップ本体２００の段差２３０の上部に密着して泡排出部２４０の内部に気液混合室Ｓを形成するリング状の区画壁６１０と、この区画壁６１０の内側から中央部に向かって上向きに延び、端部が内容物排出ガイド３００の排出案内部３２０に弾性的に密着し、倒立型圧搾容器１００の圧搾時にエア排出口３５０を介して排出された倒立型圧搾容器１００の内部空気が気液混合室Ｓに排出されることを許容する第１チェック弁部６２０と、区画壁６１０の外側で外側に向かって下向きに延び、端部がキャップ本体２００の段差２３０の外側に弾性的に密着して、倒立型圧搾容器１００の圧搾時にはエアホール２５０を閉鎖し、倒立型圧搾容器１００の復元時にはエアホール２５０を開放して外部から空気の流入を許容する第２チェック弁部６３０とで定義される。
【００５１】
濾過部材７００は、図３乃至図５に示したように、キャップ本体２００の泡排出部２４０の内部（気液混合室：Ｓ）に嵌められて収容配置され、上、下部が開放された円筒状のボディー７１０、及びこのボディー７１０の上面及び下面を覆うように設けられたメッシュ（ＭＥＳＨ）形状の濾過網７２０，７３０からなっている。これによって、濾過部材７００は、気液混合室Ｓで液体内容物と空気が混合されて形成された泡を均質化させながら下側に排出案内するようになる。
【００５２】
そして、昇下降キャップ８００は、図３乃至図５に示したように、本発明に係る倒立型圧搾容器泡発生器において泡を外部に排出案内することは勿論であり、ロッキングの役割を果たし得るもので、上端部がキャップ本体２００の昇下降ガイド壁２２０に収容結合されて昇下降が可能な円筒状の壁面８１０と、キャップ本体２００の下部を覆うようになされ、濾過部材７００を抜け出た泡が外部に分散して排出されるように複数個の泡分散孔８３０が穿孔された下面８２０とで定義される。また、昇下降キャップ８００の下面８２０の中央には、昇下降操作によって泡排出部２４０を選択的に開閉して泡排出部２４０と泡分散孔８３０との連通を許容又は遮断する円筒状の遮断壁８４０が設けられている。
【００５３】
このような昇下降キャップ８００の昇下降は、その正逆方向回転操作によって行われるように構成されている。すなわち、昇下降キャップ８００の壁面８１０の外側には、支持軸２６０がそれぞれ収容され、下から上向きに傾斜した螺旋溝８５０が一定の区間（本発明では９０°区間）にわたって対向するように形成されているため、昇下降キャップ８００の正逆方向回転操作によって定位置で下降又は昇降するようになる。したがって、昇下降キャップ８００の正方向回転により（図５の矢印Ａ方向）最大に下降すると、円筒状の遮断壁８４０が泡排出部２４０の上部から離隔し、これにより、泡排出部２４０と泡分散孔８３０とが連通して泡が排出され得るようになる。反面、昇下降キャップ８００の逆方向回転により（図５の矢印Ｂ方向）最大に昇降すると、円筒状の遮断壁８４０が泡排出部２４０の下部を完全に閉鎖して、泡が排出されなくなる（図９参照）。
【００５４】
一方、マッサージ部材９００は、図３乃至図５に示したように、昇下降キャップ８００の下部を覆うように嵌装され、泡分散孔８３０と個別に連通するように複数個の連通口９２０が設けられたベース９１０、及びこのベース９１０の下面の全域にわたって植えられたマッサージ毛９３０で定義される。マッサージ毛９３０は、皮膚に弾力的に接しながら、連通口９２０を介して排出された泡を皮膚に均一に塗るためのものである。
【００５５】
＜本発明に係る倒立型圧搾容器泡発生器の作動及び効果の説明＞
【００５６】
以下では、本発明に係る倒立型圧搾容器泡発生器の作動及びこれによる作用効果を、図２、及び図７乃至図９を参照して説明する。
【００５７】
まず、図２に示したように、本発明に係る倒立型圧搾容器泡発生器の初期状態では、液体内容物と共に空気が充填された倒立型圧搾容器１００が元の状態に維持され、内容物チェック弁４３０は、内容物吸入口４２０を閉鎖した状態に維持される。そして、エアチェック弁ユニット６００の第１チェック弁部６２０は、それ自体の弾性復元力で内容物排出ガイド３００の排出案内部３２０に密着し、エアチェック弁ユニット６００の第２チェック弁部６３０もまた、それ自体の弾性復元力でキャップ本体２００の段差２３０の外側に密着してエアホール２５０を閉鎖した状態に維持される。
【００５８】
そして、図７に示したように、昇下降キャップ８００が下降した状態で使用者が倒立型圧搾容器１００を押して圧搾させると（図７の矢印方向参照）、内部圧力が発生し、これにより倒立型圧搾容器１００の内部空気及び液体内容物が加圧される。
【００５９】
したがって、倒立型圧搾容器１００に貯蔵された液体内容物の一部は、内容物チェック弁４３０を開放させながら液体排出口３３０を介して気液混合室Ｓに排出される（図７の実線矢印方向参照）。なお、倒立型圧搾容器１００の内部にあった一部の空気は、加圧されながらエアチューブ５００を介して弁ハウジング４００のエアルーム４１０に流入し、次いで第２チェック弁部６３０を閉鎖し、第１チェック弁部６２０は開放させて気液混合室Ｓに排出される（図７の点線矢印方向参照）。
【００６０】
次いで、気液混合室Ｓでは、加圧空気と液体内容物が混合されながら泡が形成され、液体内容物は、複数個の液体排出口３３０を介して分散して排出されるので、空気との混合がさらに円滑に行われて、直ちに泡に変わるようになる。このような泡は、濾過部材７００を通過しながら均質化され、均質化された泡は、昇下降キャップ８００の泡分散孔８３０及びマッサージ部材９００の連通口９２０を経由して外部に排出される。
【００６１】
そして、図８に示したように、倒立型圧搾容器１００に加えた人為的な力を除去すると、倒立型圧搾容器１００自体の弾性復元力によって元の状態に復元されながら、内部には負圧が形成される。すなわち、潰れた倒立型圧搾容器１００が復元されながら内部に負圧が形成されると、エアチェック弁ユニット６００の第２チェック弁部６３０が瞬間開放されて、外部空気がエアホール２５０及びエア流入口３６０を介して弁ハウジング４００のエアルーム４１０に流入する。次いで、エアルーム４１０に流入した空気は、エアチューブ５００を介して倒立型圧搾容器１００の内部に流入する。すなわち、液体内容物の一部が排出された倒立型圧搾容器１００には、エアホール２５０及びエア流入口３６０を通じてその体積だけの外部空気が入ってきて充填されて、倒立型圧搾容器１００が初期状態に維持される。倒立型圧搾容器１００の復元過程で、エアチェック弁ユニット６００の第１チェック弁部６２０は排出案内部３２０に密着してエア排出口３５０を閉鎖する。
【００６２】
このような一連の過程を繰り返すことによって、倒立型圧搾容器１００に入っている液体内容物を泡状に噴出させて使用することができる。すなわち、本発明に係る倒立型圧搾容器泡発生器では、内容物が貯蔵された倒立型圧搾容器１００を直接圧搾することによって、内部圧力を通じて液体内容物が空気と共に混合されながら泡状に直接排出される。また、片手で倒立型圧搾容器１００を直接圧搾しても内容物が泡状に排出されることによって、その使用の利便性を向上させることができる。そして、外部に排出された泡は、マッサージ部材９００を通じて、手を利用しなくても皮膚に均一に塗ったり、皮膚を洗浄（クレンジング）したりすることができる。特に、使用者は、マッサージ部材９００のマッサージ毛９３０を通じて、皮膚をマッサージするように押しながら泡を均一に塗ることができる。
【００６３】
一方、図９に示したように、昇下降キャップ８００を逆方向に９０°回転させると（図９の矢印Ｂ方向）、昇下降キャップ８００が昇降しながら円筒状の遮断壁８４０が泡排出部２４０に収容／密着されてこれを閉鎖する。｛昇下降キャップ８００は、上述したように、それぞれの螺旋溝８５０にそれぞれ支持軸２６０が収容結合されているため、正逆方向回転操作によって定位置でのみ昇下降移動するようになる。｝このように、昇下降キャップ８００が昇降して泡排出部２４０を閉鎖した状態では、倒立型圧搾容器１００を押して圧搾しても泡（内容物及びエア）が排出されないため、ロッキング状態に維持される。すなわち、回転／昇下降方式で締結された昇下降キャップ８００を通じて、泡排出の案内は勿論であり、ロッキング機能も併行し得るため、製品をさらに安定的に使用することができ、流通中にも漏液現象を防止することができる。
【産業上の利用可能性】
【００６４】
本発明は、倒立型圧搾容器を直接圧搾して内容物を空気と共に混合しながら泡状に排出させ得る倒立型圧搾容器泡発生器の分野に広範囲に利用することができる。
【図１】
0006509439.tif 000002
【図２】
0006509439.tif 000003
【図３】
0006509439.tif 000004
【図４】
0006509439.tif 000005
【図５】
0006509439.tif 000006
【図６】
0006509439.tif 000007
【図７】
0006509439.tif 000008
【図８】
0006509439.tif 000009
【図９】
0006509439.tif 000010